(57)【特許請求の範囲】
【請求項１】
一端に電導体を固定するための手段と他端に雄型電気接点部材を収容するための収容部材とを有する本体から成り、該本体を雄型部材を挿入させるためにその自由端を開口させた套体により延伸させ、該収容部材を雄型部材を握持するように構成した弾性舌状片により電導体固定手段に向けて延伸させたリングから構成し、該リングを摺動及び浮動可能に套体内に配設させると共に可撓性金属編組線により本体に連結し、套体内にはリングの摺動を制限するための手段を備え、該可撓性金属編組線をその長手方向に沿う途中の一部の地点で湾曲させ、外装体によって被覆されたループを形成したことを特徴とする雌型電気接点部材。
【請求項２】
外装体をテトラフルオロエチレンから形成した請求項１に記載の雌型電気接点部材。
【発明の詳細な説明】
【０００１】
【産業上の利用分野】
本発明は雌型電気接点部材に関するものである。
【０００２】
【従来の技術】
従来の雌型電気接点部材は一端に電導体を固定するための手段を備えかつ他端に雄型電気接点部材を収容させるための収容部材を備えた本体から構成され、該本体は雄型部材を挿入するためにその自由端を開口させ、収容部材は雄型部材を握持するようにした弾性舌状片により電導体固定手段に向かって延伸させたリングから構成され、リングは本体内で摺動かつ浮動するように取付けられかつ可撓性電気接続体により本体に連結されており、本体内にはリングの摺動を制限する手段が備えられている。
【０００３】
【発明が解決しようとする課題】
この構造のため、雌型電気接点部材の本体が振動を受け、その振動がリングに伝達されてしまうので、リングは雄型部材に対して移動することなく振動し、その振動が接点部材間に腐食を生じさせてしまう。
【０００４】
本体の内側でリングを自由に移動できるようにするために、電気接続体として編組線が使用され、そしてリングと電導体固定手段を備えた本体の端部との間の部材には波形や起伏を形成する。
【０００５】
上述した構成はその作動の観点からは十分に満足できるものであるが、しかしその製造が困難であることが判明し、かつ可撓性編組線が屈曲されたところに形成される小さい半径が本体とリングに結合された部材に比較的高い剛性を与えてしまうためリングが本体内で十分に移動できないことが判明した。
【０００６】
本発明の目的は上述した従来技術の欠点を除去し、電気接続体にループを形成することにより弾性力を付与し、リングを振動させることなく本体内で自由に移動させることができ、接点部材間に腐食を生じさせることがなく、その製造が簡単で確実に作動する雌型電気接点部材を提供することにある。
【０００７】
【問題点を解決するための手段】
本発明による雌型電気接点部材は一端に電導体を固定するための手段を備えかつ他端に雄型電気接点部材を収容するための収容部材を備えた本体から成り、該本体を雄型部材を挿入させるためにその自由端を開口させた套体により延伸させ、該収容部材を雄型部材を握持するようにした弾性舌状片により電導体固定手段に向けて延伸させたリングから構成し、該リングを摺動及び浮動可能に套体内に配設しかつ可撓性電気接続体により本体に連結し、套体内にはリングの摺動を制限するための手段を備え、該可撓性電気接続体をその長手方向に沿う途中の地点でループを形成するために湾曲させたものである。
【０００８】
このような構成により、本発明の電気接続体は十分な可撓性を有し、それに対する接続部材の機械的応力を減少させることができ、電気接続体を屈曲させる半径を増大させることができるので、その製造が簡単である。
【０００９】
可撓性電気接続体は好ましくは金属製編組線から構成することができる。
【００１０】
可撓性電気接続体は雄型部材を挿入する時に可撓性電気接続体を保護しかつ振動によって生じる雄型部材の摩耗を防止する外装体で部分的に被覆されている。
【００１１】
外装体は好ましくはテトラフルオロエチレンから形成することができる。
【００１２】
本発明の１つの構造的特徴によれば、套体は本体に取付けられ、本体は電導体を固定するための手段を備えた端部と対向する端部に矩形断面部分を有し、矩形断面部分の底部を切欠しかつ屈曲させてリングに固定させた可撓性電気接続体の支持面を形成し、矩形断面部分には耳片が切欠されかつ外装体を有する可撓性電気接続体を締め付けるために可撓性電気接続体に向けて屈曲されている。
【００１３】
本発明のその他の特徴によれば、リングは２つの細長片により延伸され、一方の細長片は電気接続体の端部を締め付けかつ外装体の端部を結合するための耳片で終端し、２つの細長片は雄型部材に対する接触区域を形成するために互いに対面している凸面を備えた急屈曲部を有している。
【００１４】
【実施例】
本発明を添付図面に示した実施例について詳細に説明する。
【００１５】
図に示した雌型電気接点部材は４つの部材、即ち、本体１と、套体２と、雄型部材を収容するためのリング３の形状の収容部材と、可撓性電気接続体８とから成っている。
【００１６】
本体１は折り曲げ突起４及び５を有している。
【００１７】
折り曲げ突起４及び５の対向端において、本体１は底部６ａと、２つの側壁６ｂと、２つのリム６ｃとを有する矩形断面部分６により延伸している。底面６ａの切欠部は編組線８用の支持面７を形成する。２つの耳片９は側壁６ｂから切欠され、リム６ｃは可撓性編組線８を支持面７に固定し、耳片９の接合部にスポット溶接１０が行われる。
【００１８】
套体２は本体１の部材よりも良好な機械的特性を有する金属から形成され、一端に２つの突起１５で終端している杆１４を有し、２つの突起１５は折り曲げ突起４と５との間の間隙において本体１上折り曲げられている。
【００１９】
杆１４の対向端において、套体２は４つの側部２ａ，２ｂ，２ｃ，２ｄを有する矩形断面形状を形成するため屈曲され、側部２ｂの長手方向端縁は側部２ａの長手方向端縁に合致しており、これら２つの端縁はスポット溶接１７により結合されている。
【００２０】
耳片９と同一線上の套体２の部分は内側に屈曲した突起１８ａを形成する凹部１８を有し、該突起１８ａは耳片９を切り取ることにより形成させた開口部１１と協働する。
【００２１】
套体２の同じ部分の側部２ｃ上の第２凹部１９は支持面７を形成するために矩形断面部分６中を切除した開口部と合致する端縁を有している。従って、套体２は本体１に係止されている。
【００２２】
套体２の側部２ｂ及び２ｃには２つの耳部２０が切欠されており、套体２の自由端縁には矩形断面の雄型部材が貫通するための開口部２２を形成している。
【００２３】
コネクターの通路に雌型電気接点部材を固定するための２つの保持舌状片２３と、例えば施錠キーと協働するために肩部を構成する２つの湾曲部分２４が側部２ｂ及び２ｃに切欠されており、耳部２０は特定の方向手段を形成するので、雌型電気接点部材は一方向にのみ取付けることができる。
【００２４】
リング３は雄型電気接点部材を収容させるために開口部２２に対応する一端に開口部２５を有する矩形断面部分を有している。リング３の２つの対向側部３ａ及び３ｂは弾性接触舌状片２７を有する弾性締め金具を形成させるために切欠されかつ屈曲されており、他方の対向側部３ｃ及び３ｄは細長片２９及び３０によりそれぞれ延伸し、細長片２９は編組線８の端部を締め付けるための２つの耳片３１で終端している。２つの細長片２９及び３０は接触区域を形成するために互いに対面する凸面を有する急屈曲部２８を弾性接触舌状片２７の近くに有している。
【００２５】
套体２の側部２ｄ及び２ａには透孔３３及び３４が形成され、各透孔３３，３４の端縁は接合台３５，３６を構成する突出部を形成している。
【００２６】
細長片２９及び３０は耳片３１の近くで２つのプレート３８により結合されており、各プレート３８は屈曲部３９を有し、一方の屈曲部３９は透孔３３内に嵌合され、他方の屈曲部３９は透孔３４内に嵌合されている。従って、リング３は透孔３３，３４の自由端と接合台３５，３６との間で套体２内において自由に移動できるように取付けられている。
【００２７】
雄型部材が挿入された際に、雄型部材は弾性接触舌状片２７と細長片２９及び３０の急屈曲部２８とに対して接合しそしてリング３を押圧するようになり、リング３の摺動は接合台３５及び３６により制限されるので、雄型部材はリング３中に完全に挿入させることができる。
【００２８】
可撓性編組線８は端部を除きその長さの全てにわたって例えばテトラフルオロエチレンから形成した保護外装体４０で被覆され、外装体４０の端部は一方において耳片９間に握持され、他方において耳片３１間に握持されている。
【００２９】
図３及び図４に示した通り、その外装体４０で被覆した可撓性編組線８はその長さに沿う途中の地点にループ４１を形成している。
【００３０】
この構造のため、製造が簡単であり、ループ４１を形成する可撓性編組線８の部分の全ては外装体４０により保護されている。
【００３１】
可撓性編組線８の形状はリング３の移動を可能にし、外装体４０は可撓性編組線８の機械的強度を増大させかつ編組線８を摩滅させるループの区域の摩擦を防止する。
【００３２】
雄型部材が挿入された時に、雄型部材は雄型部材に対するリング３の移動を生じさせるが、しかしリングの振動を発生させないでリングに取付けられた状態を保持する。
【図面の簡単な説明】
【図１】本発明の雌型電気接点部材の平面図である。
【図２】第１図の正面図である。
【図３】図１の３−３線に沿う縦断正面図である。
【図４】図３の４−４線に沿う横断平面図である。
【図５】図２の５−５線に沿う縦断側面図である。
【図６】図３の６−６線に沿う縦断側面図である。
【図７】図３の７−７線に沿う縦断側面図である。
【符号の説明】
１          本体
２          套体
３          リング
４，５      折り曲げ突起
６          矩形断面部分
７          支持面
８          編組線
９          耳片
２２，２５  開口部
２７        弾性接触舌状片
２８        急屈曲部
２９，３０  細長片
３１        耳片
３３，３４  透孔
３５，３６  接合台
３８        プレート
３９        屈曲部
４０        外装体
４１        ループ
【図１】
0004294174.tif 000002
【図２】
0004294174.tif 000003
【図３】
0004294174.tif 000004
【図４】
0004294174.tif 000005
【図５】
0004294174.tif 000006
【図６】
0004294174.tif 000007
【図７】
0004294174.tif 000008